(57)【要約】【課題】撮影禁止の状況をカメラが自動的に判断して、不適切な撮影行為が行われることを未然に防止すること。【解決手段】本発明の電子的撮像装置は、撮影動作の開始を指示するためのスイッチ部１０と、電子的撮像装置の現在位置を検出するＧＰＳレシーバ２５及びＧＰＳアンテナ２４と、撮影レンズの合焦距離を検出するＡＳＩＣ１４と、無線ＬＡＮレシーバ／トランスミッタ２９を介して最寄の情報サーバ局とワイヤレス接続し、現在位置と方位と合焦距離とに基いて被写体を検索するシステムコントローラ１５とを具備し、この検索の結果、被写体が特定の位置にあるときに撮影動作を禁止することを特徴とする。【選択図】      図１
2006093861.tif 000002
【特許請求の範囲】
【請求項１】
撮影動作の開始を指示する指示手段と、
電子的撮像装置の現在位置を検出する現在位置検出手段と、
撮影光軸の方位を検出する方位検出手段と、
撮影レンズの合焦距離を検出する合焦距離検出手段と、
情報サーバ局とワイヤレス接続し、上記現在位置と上記方位と上記合焦距離とに基いて被写体を検索する検索手段と、
を具備し、上記検索手段による検索の結果、被写体が特定の条件に合致するとき、撮影動作を禁止することを特徴とする電子的撮像装置。
【請求項２】
上記特定の位置は、美術館内、コンサートホール会場内、書店内、を含むことを特徴とする請求項１に記載の電子的撮像装置。
【請求項３】
上記現在位置検出手段は、ＧＰＳ信号を受信して現在位置を特定することを特徴とする請求項１に記載の電子的撮像装置。
【請求項４】
上記現在位置検出手段は、３局以上の固定基地局と無線交信して現在位置を特定することを特徴とする請求項１に記載の電子的撮像装置。
【請求項５】
情報取得動作の開始を指示する指示信号を発生する情報取得指示信号発生手段と、
周囲の管理情報を保持する管理情報保持手段を非接触で検知し、該保持された管理情報を非接触で読み取る読取手段と、
上記読取手段により読み取られた管理情報中に情報取得禁止情報が含まれているか否かを判定する判定手段と、
上記情報取得禁止情報があると判定されたとき、情報取得動作の進行を規制する規制手段と、
を具備することを特徴とする電子的撮像装置。
【請求項６】
上記情報取得動作とは撮影動作であることを特徴とする請求項５に記載の電子的撮像装置。
【請求項７】
上記情報取得動作とは音声記録動作であることを特徴とする請求項５に記載の電子的撮像装置。
【請求項８】
上記規制手段は、音声または画像による警告を発し、上記被写体のモザイク画像を記録することを特徴とする請求項５に記載の電子的撮像装置。
【請求項９】
上記規制手段は、上記撮影指示信号を無効とすることを特徴とする請求項５に記載の電子的撮像装置。
【請求項１０】
上記規制手段は、電子的撮像装置の電源を遮断することを特徴とする請求項５に記載の電子的撮像装置。
【請求項１１】
上記電子的撮像装置は録音機能をさらに有し、上記規制手段は、録音機能を無効とすることを特徴とする請求項５に記載の電子的撮像装置。
【請求項１２】
上記読取手段は、撮影光軸をその中心として撮影倍率に応じて変化する半値幅の単一指向性の検知範囲を有することを特徴とする請求項５に記載の電子的撮像装置。
【請求項１３】
上記読取手段は、ＧＰＳ受信機能を含むことを特徴とする請求項５に記載の電子的撮像装置。
【請求項１４】
上記管理情報保持手段は、無線ＩＣタグ装置であることを特徴とする請求項５に記載の電子的撮像装置。
【請求項１５】
上記電子的撮像装置は、電子カメラ装置であることを特徴とする請求項５に記載の電子的撮像装置。
【請求項１６】
上記電子的撮像装置は、カメラ機能付き移動電話機であることを特徴とする請求項５に記載の電子的撮像装置。
【請求項１７】
上記被写体は、少なくとも書籍等の物品を含むことを特徴とする請求項５に記載の電子的撮像装置。
【請求項１８】
情報取得動作の開始を指示する指示手段と、
現在位置を検出する現在位置検出手段と、
撮影光軸の方位を検出する方位検出手段と、
情報サーバ局とワイヤレス接続し、上記現在位置と上記方位と上記合焦距離とに基いて被写体を検索する検索手段と、
を具備し、上記検索手段による検索の結果、特定の条件に合致するとき、情報取得動作を禁止することを特徴とする情報取得装置。
【請求項１９】
情報取得動作の開始を指示する情報取得指示信号発生手段と、
上記指示に応答して周囲の管理情報を保持する管理情報保持手段を非接触で検知し、該保持された管理情報を非接触で読み取る読取手段と、
上記管理情報に基づき情報取得の可否を判定する判定手段と、
上記判定手段により情報取得が禁止された場合には情報取得動作の進行を規制する規制手段と、
を具備することを特徴とする情報取得装置。
【発明の詳細な説明】
【技術分野】
【０００１】
本発明は、例えば電子カメラ装置やカメラ機能付き移動電話機等の電子的撮像装置に関するものである。
【背景技術】
【０００２】
近年、電子カメラ装置の小型化が進み、これに加えてカメラ機能付き移動電話機が急速に普及している。特に、カメラ機能付き移動電話機にあっては、情報のインフラストラクチャとしての地位が既に確立している。こうした状況下にあって、例えば、販売中の書籍に対する所謂デジタル万引や、写真撮影が禁止されたコンサート会場等における無断撮影といった写真撮影に関連した著作権等に係る違法行為が社会問題化しつつある。
【０００３】
この問題の背景は、撮影機器使用者の良識欠如に起因することは改めて指摘するまでもないが、書籍のデジタル万引を不能とする積極的な手段を講じることができれば、このような被害の発生を未然に防止することができる。
【０００４】
これに類する課題に着目した先行技術文献として、例えば特許文献１では画像が特定イメージパターンを有する場合に画像を保護する技術が開示されており、特許文献２ではグローバルポジショニングシステム(GPS ; Global Positioning System）によりカメラ位置を特定して撮影位置を記録する技術が開示されており、特許文献３では第三者による無断撮影を警戒する技術が開示されている。
【０００５】
ところで、従来の紙タグやバーコードに代えて、追記可能な１００バイト程度のユーザエリアを有し、物品識別コードを含む管理情報を記録した無線ＩＣタグ（RFID；Radio Frequency IDentification）が実用化されつつある。この無線ＩＣタグには、対環境性に優れる上、アンテナを介して非接触に電力を伝送することにより、電源が不要で半永久的に利用可能なパッシブタイプのものもある。
【０００６】
この無線ＩＣタグが利用可能な周波数帯は、例えば１２５〜１３５ｋＨｚ、１３．５６ＭＨｚ、８６８ＭＨｚ、９１５ＭＨｚ、２．４５ＧＨｚ、５ＧＨｚ等であり、特に、ＵＨＦ帯以上の無線ＩＣタグでは、アンテナや機能素子をＩＣチップ上に形成することができるため、コスト、信頼性の面から広範な用途が期待されている。これに類する課題に着目した先行技術文献として、例えば特許文献４では、無断撮影禁止を示す特定画像パターンを被写体に付すことにより、それを撮影するカメラ側で画像信号中に特定画像パターンが検出されたとき、撮影動作の進行を禁止する技術が開示されている。
【特許文献１】特開平５−３４４３１５号公報
【特許文献２】特開平８−１８４４３６号公報
【特許文献３】特開２００３−１６３８２２号公報
【特許文献４】特開２００１−２９１０７９号公報
【発明の開示】
【発明が解決しようとする課題】
【０００７】
しかしながら、前述した従来技術では、画像処理によりはじめて無断撮影禁止されている対象であることを認識するため、処理負担が大きく、処理に時間を要していた。
【０００８】
さらに、電子的撮像装置の現在位置や、撮影対象物の位置情報に基づいて、撮影の許可／禁止を制御するような技術は開示されておらず、その実現が嘱望されていた。
【０００９】
本発明の目的とするところは、撮影禁止の状況をカメラが自動的に判断して、不適切な撮影行為が行われることを未然に防止することにある。
【課題を解決するための手段】
【００１０】
上記目的を達成するために、本発明の第１の態様では、撮影動作の開始を指示する指示手段と、電子的撮像装置の現在位置を検出する現在位置検出手段と、撮影光軸の方位を検出する方位検出手段と、撮影レンズの合焦距離を検出する合焦距離検出手段と、情報サーバ局とワイヤレス接続し、上記現在位置と上記方位と上記合焦距離とに基いて被写体を検索する検索手段と、を具備し、上記検索手段による検索の結果、被写体が特定の条件に合致するとき、撮影動作を禁止することを特徴とする電子的撮像装置が提供される。
【００１１】
本発明の第２の態様では、上記第１の態様において、上記特定の位置は、美術館内、コンサートホール会場内、書店内、を含むことを特徴とする電子的撮像装置が提供される。
【００１２】
本発明の第３の態様では、上記第１の態様において、上記現在位置検出手段は、ＧＰＳ信号を受信して現在位置を特定することを特徴とする電子的撮像装置が提供される。
【００１３】
本発明の第４の態様では、上記第１の態様において、上記現在位置検出手段は、３局以上の固定基地局と無線交信して現在位置を特定することを特徴とする電子的撮像装置が提供される。
【００１４】
本発明の第５の態様では、情報取得動作の開始を指示する指示信号を発生する情報取得指示信号発生手段と、周囲の管理情報を保持する管理情報保持手段を非接触で検知し、該保持された管理情報を非接触で読み取る読取手段と、上記読取手段により読み取られた管理情報中に情報取得禁止情報が含まれているか否かを判定する判定手段と、上記情報取得禁止情報があると判定されたとき、情報取得動作の進行を規制する規制手段と、を具備することを特徴とする電子的撮像装置が提供される。
【００１５】
本発明の第６の態様では、上記第５の態様において、上記情報取得動作とは撮影動作であることを特徴とする電子的撮像装置が提供される。
【００１６】
本発明の第７の態様では、上記第５の態様において、上記情報取得動作とは音声記録動作であることを特徴とする電子的撮像装置が提供される。
【００１７】
本発明の第８の態様では、上記第５の態様において、上記規制手段は、音声または画像による警告を発し、上記被写体のモザイク画像を記録することを特徴とする電子的撮像装置が提供される。
【００１８】
本発明の第９の態様では、上記第５の態様において、上記規制手段は、上記撮影指示信号を無効とすることを特徴とする電子的撮像装置が提供される。
【００１９】
本発明の第１０の態様では、上記第５の態様において、上記規制手段は、電子的撮像装置の電源を遮断することを特徴とする電子的撮像装置が提供される。
【００２０】
本発明の第１１の態様では、上記第５の態様において、上記電子的撮像装置は録音機能をさらに有し、上記規制手段は、録音機能を無効とすることを特徴とする電子的撮像装置が提供される。
【００２１】
本発明の第１２の態様では、上記第５の態様において、上記読取手段は、撮影光軸をその中心として撮影倍率に応じて変化する半値幅の単一指向性の検知範囲を有することを特徴とする電子的撮像装置が提供される。
【００２２】
本発明の第１３の態様では、上記第５の態様において、上記読取手段は、ＧＰＳ受信機能を含むことを特徴とする電子的撮像装置が提供される。
【００２３】
本発明の第１４の態様では、上記第５の態様において、上記管理情報保持手段は、無線ＩＣタグ装置であることを特徴とする電子的撮像装置が提供される。
【００２４】
本発明の第１５の態様では、上記第５の態様において、上記電子的撮像装置は、電子カメラ装置であることを特徴とする電子的撮像装置が提供される。
【００２５】
本発明の第１６の態様では、上記第５の態様において、上記電子的撮像装置は、カメラ機能付き移動電話機であることを特徴とする電子的撮像装置が提供される。
【００２６】
本発明の第１７の態様では、上記第５の態様において、上記被写体は、少なくとも書籍等の物品を含むことを特徴とする電子的撮像装置が提供される。
【００２７】
本発明の第１８の態様では、情報取得動作の開始を指示する指示手段と、現在位置を検出する現在位置検出手段と、撮影光軸の方位を検出する方位検出手段と、情報サーバ局とワイヤレス接続し、上記現在位置と上記方位と上記合焦距離とに基いて被写体を検索する検索手段と、を具備し、上記検索手段による検索の結果、特定の条件に合致するとき、情報取得動作を禁止することを特徴とする情報取得装置が提供される。
【００２８】
本発明の第１９の態様では、情報取得動作の開始を指示する情報取得指示信号発生手段と、上記指示に応答して周囲の管理情報を保持する管理情報保持手段を非接触で検知し、該保持された管理情報を非接触で読み取る読取手段と、上記管理情報に基づき情報取得の可否を判定する判定手段と、上記判定手段により情報取得が禁止された場合には情報取得動作の進行を規制する規制手段と、を具備することを特徴とする情報取得装置が提供される。
【発明の効果】
【００２９】
本発明によれば、撮影禁止の状況をカメラが自動的に判断して、不適切な撮影行為が行われることを未然に防止する情報保護装置を提供することができる。
【発明を実施するための最良の形態】
【００３０】
以下、図面を参照して、本発明の実施の形態について説明する。
【００３１】
図１には本発明の一実施の形態に係る電子的撮像装置の構成を示し説明する。
【００３２】
この電子的撮像装置は、例えば電子カメラ装置やカメラ機能付き移動電話機等である。
【００３３】
この図１において、外部電源入力端子１７を介して接続された不図示の外部電源からも電力供給を受けることができる電源部１６は、システムコントローラ１５（以下、シスコンと略記する）をはじめとする各部に電力を供給する。シスコン１５は、ＲＯＭ８に予め記憶されたプログラム等に基づいて、例えば各部制御処理及び画像処理を行う。このシスコン１５は、レンズ駆動制御回路６を介してレンズ駆動部５に接続されている。このレンズ駆動制御回路６はシスコン１５からの制御信号に基づいてレンズ駆動部５を駆動制御して、ズームレンズ系１を所望とする位置に駆動する。このズームレンズ系１は複数のレンズで構成されている。ズームレンズ系１を介して入射した被写体光は撮像素子２に結像され撮像される。そして、この撮像素子２から順次出力される映像信号は撮像回路３にて各種の処理が施された後、後段のＡ／Ｄ変換器４にてデジタル画像信号に変換され、バスを介してＲＡＭ７に一時的に記憶される。そして、シスコン１５により当該画像信号がＲＡＭ７より読み出されると、ＬＣＤドライバ２１により駆動制御されるＬＣＤ２２において表示される。システム１５は操作部ドライバ１３にも接続されており、当該操作部ドライバ１３は、スイッチ部１０、ダイヤル部１１、タッチパッド部１２からの操作入力を受け付け、シスコン１５に制御信号を送る。また、ストロボ発光部９は、シスコン１５からの指令に基づいてストロボ発光を行う。ＡＳＩＣ１４は、例えば撮像素子２の出力に基づいてＡＦ処理、ＡＥ処理を行う。シスコン１５は、バスを介してドライブコントローラ１８にも接続されており、当該ドライブコントローラ１８はディスクドライブを駆動制御してディスクにデータを書き込み／読み出しする。さらに、外部Ｉ／Ｆを介して、外部と画像信号や制御信号等の送受信を行うことも可能となっている。以上のほか、シスコン１５には、外部と通信自在な、ＧＰＳアンテナ２４を備えるＧＰＳレシーバ２５、ＩＣタグ用アンテナ２６を備えるＩＣタグレシーバ／トランスミッタ２７、無線ＬＡＮ用アンテナ２８を備えた無線ＬＡＮレシーバ／トランスミッタ２９が接続されている。また、マイクロフォン等による録音部３０をも備えている。
【００３４】
以上の構成において、本実施の形態の電子的撮像装置は、ＧＰＳ等によるカメラの位置の検出と、カメラの姿勢及び設定状態により被写体の位置を特定し、撮影が禁止されている場所ではシャッタが切られないように、即ち撮影を禁止するものである。また、付加的な機能として、ＩＣタグからの信号や被写体が印刷物であることを認識することで、所謂デジタル万引きを防止する機能も備えている。
【００３５】
尚、請求項記載の検索手段、判定手段、規制手段は、上記シスコン１５等に対応し、指示手段はスイッチ部１０等に相当し、合焦距離検出手段はＡＳＩＣ１４に相当し、現在位置検出手段はＧＰＳアンテナ２４を備えたＧＰＳレシーバ２５及びシスコン１５等に相当し、管理情報保持手段は無線ＩＣタグ装置に相当し、読取手段はＩＣタグ用アンテナ２６を備えたＩＣタグレシーバ／トランスミッタ２７等に相当し、録音手段は、録音部３０等に相当する。ただし、これらの関係に限定されないことは勿論である。
【００３６】
以下、図２のフローチャートを参照して、本発明の一実施の形態に係る電子的撮像装置による動作（被写体位置による情報保護）を詳細に説明する。
【００３７】
シスコン１５は、本処理を開始すると、撮影開始待ちとなる（ステップＳ１）。即ち、このステップＳ１では、スイッチ部１０に含まれるレリーズスイッチが押下されるまで撮影開始待ち状態を継続し、当該スイッチが押下されると、カメラの位置を特定し（ステップＳ２）、書籍等の被写体の位置を特定し（ステップＳ３）、被写体位置が撮影禁止区域か否かを判定する（ステップＳ４）。ステップＳ２では、詳細は後述するが、ＧＰＳレシーバ２５の受信信号に基づく位置特定を行い、ステップＳ３では、詳細は後述するが、ＡＳＩＣ１４によるＡＦ処理（ステップＳ５）の結果に基づいて被写体の位置を特定する。ＡＳＩＣ１４は、このＡＦ処理に続いてＡＥ処理も行う（ステップＳ６）。こうして、被写体位置が撮影禁止区域内でない場合には通常撮影を行い（ステップＳ８）、撮影禁止区域内であれば警告表示をＬＣＤ２２に行う（ステップＳ９）。以上で一連の処理を終了する。
【００３８】
次に、図３のフローチャートを参照して、本発明の一実施の形態に係る電子的撮像装置による別の動作（ＩＣタグによる情報保護）を詳細に説明する。
【００３９】
シスコン１５は、本処理を開始すると撮影開始待ちとなる（ステップＳ１１）。即ち、このステップＳ１１では、スイッチ部１０に含まれるレリーズスイッチが押下されるまで撮影開始待ち状態を継続し、当該スイッチが押下されると、ＡＳＩＣ１４側でＡＦ処理（ステップＳ１２）、ＡＥ処理（ステップＳ１３）を実行する。このＡＦ処理の結果はシスコン１５側に送られる。シスコン１５では、詳細は後述するようにＩＣタグ用アンテナ２６の指向性を設定し（ステップＳ１４）、ＩＣタグレシーバ／トランスミッタ２７によりＩＣタグ情報を取得し（ステップＳ１５）、被写体（例えば書籍等）が購入済みであるか否かを判定する（ステップＳ１６）。そして、シスコン１５は、被写体が購入済みである場合には通常撮影を行い（ステップＳ１８）、購入済みでない場合には警告表示をＬＣＤ２２に行う（ステップＳ１９）。以上で一連の処理を終了する。
【００４０】
ここで、図４を参照して、本発明の一実施の形態に係る電子的撮像装置においてＧＰＳ機能により被写体の位置を特定し情報盗難を回避する方法について説明する。
【００４１】
ＧＰＳにより、カメラの現在位置（緯度、経度、高度）を算出する場合、当該位置の算出方法には１点測位法や干渉測位法等がある。ここでは、１点測位法について述べる。
【００４２】
１点測位法では衛星の位置を既知とし、衛星と観測点との間の距離を計測し未知量である観測点の位置を求める。この距離はＣ／Ａコードを用いて、衛星から電波が発射された時刻と受信機が電波を受信した時刻との差から電波の到達所要時間を求め、光速を乗じることによって得られる。疑似距離の分解能は略３ｍである。
【００４３】
衛星と受信点間の距離は次に示す誤差を含むため疑似距離と呼ばれている。
【００４４】
（１）衛星に搭載されている時計の誤差
（２）受信機に搭載されている時計の誤差
（３）電離層による電波伝搬遅延
（４）対流圏による電波伝搬遅延
（５）放送暦より計算される衛星位置の誤差
１点測位法ではこれらの誤差のうち、（１）（２）（３）について補正可能である。
【００４５】
未知数の数は観測点の３次元の座標と時計のずれ量と時計のずれ量の計４個である為にＧＰＳレシーバ２５、１台により同時に４個以上の衛星を観測する必要がある。
【００４６】
いま、衛星ｉの位置を（Ｘｉ，Ｙｉ，Ｚｉ）とし、受信点の位置を（Ｘｐ，Ｙｐ，Ｚｐ）とすると、次式が得られる。
【００４７】
｛（Ｘｐ−Ｘ１）２＋（Ｙｐ−Ｙ１）２＋（Ｚｐ−Ｚ１）２｝１／２＋Ｃ・δｔ＝ｒ１
｛（Ｘｐ−Ｘ２）２＋（Ｙｐ−Ｙ２）２＋（Ｚｐ−Ｚ２）２｝１／２＋Ｃ・δｔ＝ｒ２
｛（Ｘｐ−Ｘ３）２＋（Ｙｐ−Ｙ３）２＋（Ｚｐ−Ｚ３）２｝１／２＋Ｃ・δｔ＝ｒ３
｛（Ｘｐ−Ｘ４）２＋（Ｙｐ−Ｙ４）２＋（Ｚｐ−Ｚ４）２｝１／２＋Ｃ・δｔ＝ｒ４
ここで、Ｃは光速、δｔは受信機時計のずれ、ｒｉは疑似距離をそれぞれ示す。
【００４８】
そこで、上記連立方程式を解き、未知量である観測点の位置は各衛星を中心とし、衛星からの距離を半径とする４つの球面上の交点として求める。衛星の位置は衛星より送信される放送暦より計算する。
【００４９】
次に、図５，６を参照して、ＩＣタグからの信号による情報盗難を回避する方法について説明する。ＩＣタグは、数ミリ角から０．４ミリ角ほどの微細なＩＣチップと、情報を送受信するために取り付ける数センチ程度の細い金属のアンテナを組み合わせた構造である。ＩＣタグレシーバ/トランスミッタ２７は、非接触の無線ＩＣタグ装置（以下、ＩＣタグと略記する）に向けて励振信号を発信し、当該非接触のＩＣタグからの信号を得る。ＩＣタグからの信号は、被写体からの信号のみを得たいので、ＩＣタグ用アンテナ２６は撮影レンズの光軸方向に強い指向性を持つものであり、撮影レンズの画角に応じてアンテナの指向性を変動するものである。
【００５０】
図５に示したのは、向きの異なる複数のアンテナ２００ａ乃至２００ｃである。Ｉ／Ｆ２０２を介して接続されたＩＣタグレシーバ／トランスミッタ２７内の外部演算装置２０３の制御に従って、指向性に応じて各アンテナ２００ａ乃至２００ｃの振幅をふまえて重み付け器２０１ａ乃至２０１ｃにおける重み付け値を可変とする。よって、各アンテナ２００ａ乃至２００ｃからの信号は、重み付け器２０１ａ乃至２０１ｃで上記したような重み付けされた後、分配／合成部２０９で合成等され、送受信部２０５を介してＩＣタグレシーバ／トランスミッタ２７側に出力される。多数のＩＣタグから同一周波数の各社の信号を読み出す場合、データの衝突（コリジョン）が起こり得るが、それを回避する読み出し方法（アンチコリジョンアルゴリズム）は公知であるので詳細な説明は省略する。
【００５１】
ＩＣタグは、１２５ＫＨｚ帯、１３ＭＨｚ帯、２．４ＧＨｚ帯のいずれかによって通信を行うことができるものであり、電子的撮像装置は、これらの周波数帯において順次、励振信号を発振する。そして、ＩＣタグから受信した信号により、「周波数帯域タイプ」等を取得することができる。これ以降は、取得した「周波数帯域タイプ」に周波数帯域を設定する。シスコン１５は、ＩＣタグレシーバ／トランスミッタ２７を駆動制御することでＩＣタグから各種データを収集し、認識した周波数帯域にてＩＣタグ情報を読み込み、その結果、分類情報を得る。例えば、分類情報が「本」の場合、続いて「出版社」「ＩＳＳＮコード」等を得ることができ、また、購入済みか未購入かの情報を得ることもできる。このようにしてＩＣタグからの信号を受信した結果、被写体が未購入状態であると判定した場合には、電子的撮像装置にてスイッチ部１８に含まれるレリーズボタンを押しても撮影できないように制御し、ＬＣＤ２２に警告画面を表示する。即ち、図６（ａ）に示されるように「未購入品を撮影することができません」との警告表示を行い、或いは図６（ｂ）に示されるように撮影画像にモザイクをかけて認識不能とすることが考えられる。
【００５２】
このほか、シスコン１５から出力される撮影指示信号を無効としたり、電子的撮像装置の電源部１６からの電力供給を遮断することも考えられる。
【００５３】
次に被写体の位置を算出する手法について更に詳細に説明する。
【００５４】
まず、公知のＭＲ型方位センサ等により地磁気から方位を感知することで電子的撮像装置の向きを算出し、被写体の位置を求める。
【００５５】
そして、図７に示すような撮影レンズのフォーカス繰出し量［ｍｍ］と撮影距離の逆数（１／Ｌ）［ｍｍ］との関係を示すテーブルを参照して、当該撮影レンズのフォーカス繰出し量［ｍｍ］に基づいて撮影距離、即ち被写体までの距離を算出する。
【００５６】
さらに、図８に示されるように、カメラ座標（ｘ0，ｙ0，ｚ0）、カメラの向きθz、被写体座標（ｘ，ｙ，ｚ）、カメラの角度θxyが定まる場合、以下の式により被写体の位置を算出する。
【数１】
2006093861.tif 000003
【００５７】
前述した図２のステップＳ７では、上記手法により求められた被写体が所定位置内である場合には、撮影を禁止するが、ここでいう「所定位置」とは、美術館やコンサートホール内、書店等、撮影されると困る場所を意味する。
【００５８】
図９に示すように、所定位置の情報はサーバ３０３が保持しており、カメラ３００は基地局３０１と無線ＬＡＮ等により接続し、認証サーバ３０２による認証の後、インターネット３０４を介してサーバ３０３から情報を得る。
【００５９】
また、ＧＰＳ以外に、無線ＬＡＮや携帯のアクセスポイントを利用することによっても位置を特定することができる。図１０に示すように、ＧＰＳと同様に４台の基地局３０１ａ乃至３０１ｄと電子的撮像装置３００との間を伝搬する無線ＬＡＮ信号を利用しＧＰＳと同様の処理を行うことでも位置を特定することができる。ＧＰＳは屋内エリアでの位置検知が困難であることから、そのような屋内においては無線ＬＡＮによる位置の本手法による特定が有効である。
【００６０】
以上説明したように、本発明の一実施の形態によれば、ＧＰＳ情報と方位検知情報とピント距離情報とに基いて被写体を推定すると共に、情報サーバにアクセスし、推定被写体が無断撮影不可であるとき、撮影動作を規制しているから、不適切な撮影行為が不用意に行われることを防止することができる。さらに、被写体に添付された管理情報保持手段にアクセスし、管理情報保持手段中の管理情報に撮影禁止情報が含まれているとき、当該物品が写真撮影されることを規制しているから、不適切な撮影行為が不用意に行われることを防止することができる。
【００６１】
以上、本発明の実施の形態について説明したが、本発明はこれに限定される事なくその趣旨を逸脱しない範囲で種々の改良・変更が可能であることは勿論である。
【００６２】
例えば、コンサートホール等においては、撮影だけでなく、上記同様の手法により録音も禁止することもできる。  
【図面の簡単な説明】
【００６３】
【図１】本発明の一実施の形態に係る電子的撮像装置の構成図である。
【図２】本発明の一実施の形態に係る電子的撮像装置による動作（被写体位置による情報保護）を詳細に説明するフローチャートである。
【図３】本発明の一実施の形態に係る電子的撮像装置による別の動作（ＩＣタグによる情報保護）を詳細に説明するフローチャートである。
【図４】本発明の一実施の形態に係る電子的撮像装置においてＧＰＳ機能により被写体の位置を特定し情報盗難を回避する方法について説明する図である。
【図５】向きの異なる複数のアンテナ２００ａ乃至２００ｃを備えたＩＣタグレシーバ／トランスミッタ２７の構成例を示す図である。
【図６】（ａ）は警告表示の一例を示す図、（ｂ）はモザイク表示された画像表示例を示す図である。
【図７】フォーカス繰出し量と撮影距離の逆数との関係を示す図である。
【図８】カメラ座標（ｘ０，ｙ０，ｚ０）、カメラ角度θｚ、被写体座標（ｘ，ｙ，ｚ）、カメラ角度θｘｙより、被写体の位置を算出する手法を説明する図である。
【図９】サーバ３０３から所定位置の情報を得るための構成例を示す図である。
【図１０】基地局との関係で位置を特定するための構成例を示す図である。
【符号の説明】
【００６４】
１・・・ズームレンズ系、２・・・撮像素子、３・・・撮像回路、４・・・Ａ／Ｄ変換回路、５・・・レンズ駆動部、６・・・レンズ駆動制御回路、７・・・ＲＡＭ、８・・・ＲＯＭ、９・・・ストロボ発光部、１０・・・スイッチ部、１１・・・ダイヤル部、１２・・・タッチパッド部、１３・・・操作部ドライバ、１４・・・ＡＳＩＣ、１５・・・システムコントローラ、１６・・・電源部、１７・・・外部電源入力端子、１８・・・ドライブコントローラ、１９・・・外部Ｉ／Ｆ部、２０・・・ビデオ円コーダ、２１・・・ＬＣＤドライバ、２２・・・ＬＣＤ、２３・・・ディスクドライブ、２４・・・ＧＰＳアンテナ、２５・・・ＧＰＳレシーバ、２６・・・ＩＣタグ用アンテナ、２７・・・ＩＣタグレシーバ／トランスミッタ、２８・・・無線ＬＡＮ用アンテナ、２９・・・無線ＬＡＮレシーバ／トランスミッタ。
【図１】
2006093861.tif 000004
【図２】
2006093861.tif 000005
【図３】
2006093861.tif 000006
【図４】
2006093861.tif 000007
【図５】
2006093861.tif 000008
【図６】
2006093861.tif 000009
【図７】
2006093861.tif 000010
【図８】
2006093861.tif 000011
【図９】
2006093861.tif 000012
【図１０】
2006093861.tif 000013